(57)【要約】【課題】  メインリモコンに接続された音響機器の再生音をメインスピーカで出力して調節可能な風呂リモコンシステムを提供する。【解決手段】  メインリモコン１の接続口１２に音響機器１９が接続されたことを検知したら、メイン液晶パネル１８に音響機器１９の再生音の音量調節の有無を選択する画面を表示し、音量調節の開始が選択されたら、メインリモコン１内の短絡回路３１を閉止して音響機器１９の再生音がメインスピーカ１０から出力されるので、音響機器１９の再生音量を調節してノイズや音割れの発生を防止し、メインスピーカ１０と同一音量で風呂スピーカ１７から音響機器１９の再生音が出力されるため、使用者の使い勝手が向上する。【選択図】  図２
2014122765.tif 000002
【特許請求の範囲】
【請求項１】
浴室内に設置された風呂リモコンと、浴室外に設置されたメインリモコンと、前記風呂リモコン及び前記メインリモコンにそれぞれ備えられたマイクとスピーカとを使用し、通信回線を介して相互に通話可能とするインターホン機能と、前記メインリモコンに備えられ音響機器の接続が可能な接続口と、前記メインリモコンの前記接続口から入力された前記音響機器の再生音を前記通信回線を介して送信し、前記風呂リモコンの前記スピーカから出力する制御部とを備えた風呂リモコンシステムにおいて、前記メインリモコンの前記スピーカから前記音響機器の再生音が出力可能となる短絡回路を備え、前記制御部は、前記メインリモコンの前記接続口に前記音響機器が接続されたと判断したら、前記短絡回路を閉止可能とすることを特徴とする風呂リモコンシステム。
【請求項２】
前記制御部は、前記メインリモコンの前記接続口に前記音響機器が接続されたと判断したら、前記音響機器の再生音量の調節を促す内容を前記メインリモコンの表示部に表示することを特徴とする請求項１記載の風呂リモコンシステム。
【発明の詳細な説明】
【技術分野】
【０００１】
この発明は、相互に通信可能であり所定の操作を行うことで風呂装置を制御する風呂リモコンシステムに関するものである。
【背景技術】
【０００２】
従来、この種のものにおいて、浴室内に浴槽水の追い焚き動作の指示等が可能な風呂リモコンと、台所等に給湯温度の設定値の変更等が可能なメインリモコンとを備え、風呂リモコン及びメインリモコンに備えられたマイクとスピーカを使用し、通信回線を介して互いに通話を可能としたインターホン機能を備えたものにおいて、メインリモコンの下面に設置された接続口に音響機器を接続して所定の操作を行うと、各リモコンを接続する通信回線を介して音響機器の再生音が風呂リモコンのスピーカから出力され、風呂リモコンで所定の操作をすることで、風呂リモコンのスピーカから出力される音量を調節可能とした風呂リモコンシステムがあった。（例えば、特許文献１）
【先行技術文献】
【特許文献】
【０００３】
【特許文献１】特開２００２−２７７０５０号公報
【発明の概要】
【発明が解決しようとする課題】
【０００４】
しかし、この従来のものでは、一般にメインリモコンに接続された音響機器の設定音量が小さい場合、メインリモコンのＳＮ比が小さくなることから、風呂リモコンのスピーカから出力される音響機器の再生音に混ざるノイズ音が大きくなり、音響機器の設定音量が大きい場合、メインリモコンに入力される音声信号の振幅が過大であることから、風呂リモコンのスピーカから出力される再生音が音割れし、再生音が聞き取りにくくなる。これらを防止するため、使用者が実際に風呂リモコンのスピーカから聞こえる再生音を確認して音響機器の音量を調節する作業を要し、メインリモコンと風呂リモコンとの間を往復する必要があったことから、作業が煩雑であった。
【課題を解決するための手段】
【０００５】
上記課題を解決するために、本発明の請求項１では、浴室内に設置された風呂リモコンと、浴室外に設置されたメインリモコンと、前記風呂リモコン及び前記メインリモコンにそれぞれ備えられたマイクとスピーカとを使用し、通信回線を介して相互に通話可能とするインターホン機能と、前記メインリモコンに備えられ音響機器の接続が可能な接続口と、前記メインリモコンの前記接続口から入力された前記音響機器の再生音を前記通信回線を介して送信し、前記風呂リモコンの前記スピーカから出力する制御部とを備えた風呂リモコンシステムにおいて、前記メインリモコンの前記スピーカから前記音響機器の再生音が出力可能となる短絡回路を備え、前記制御部は、前記メインリモコンの前記接続口に前記音響機器が接続されたと判断したら、前記短絡回路を閉止可能とするものである。
【０００６】
また、請求項２では、前記制御部は、前記メインリモコンの前記接続口に前記音響機器が接続されたと判断したら、前記音響機器の再生音量の調節を促す内容を前記メインリモコンの表示部に表示するものである。
【発明の効果】
【０００７】
この発明の請求項１によれば、メインリモコンのスピーカから音響機器の再生音が出力可能となる短絡回路を備え、メインリモコンの接続口に音響機器が接続されたと判断したら、短絡回路を閉止可能とするので、メインリモコンのスピーカから音響機器の再生音が出力可能となり、音響機器からメインリモコンに入力される再生音について、風呂リモコンとメインリモコンとの間を往復することなく、ノイズや音割れが発生しない適切な音量に調節できるため、使い勝手が向上する。
【０００８】
また、請求項２によれば、メインリモコンの接続口に音響機器が接続されたと判断したら、音響機器の再生音量の調節を促す内容をメインリモコンの表示部に表示するので、風呂リモコンのスピーカから出力される音響機器の再生音の調節をメインリモコンで忘れずに行うことができるため、使い勝手が向上する。
【図面の簡単な説明】
【０００９】
【図１】この発明の一実施形態を示す概略構成図
【図２】同一実施形態の各リモコンの制御ブロック図
【図３】同一実施形態の変調カーブと復調カーブを説明する図
【図４】同一実施形態のメインリモコンに接続した音響機器の音量を調節する時の回路を説明する図
【図５】同一実施形態の音響機器の音量調節の時に台所液晶パネルに表示される内容を説明する図
【図６】同一実施形態の音響機器接続時におけるメインリモコンの制御を説明するフローチャート
【発明を実施するための形態】
【００１０】
次に、この発明の一実施形態を図に基づいて説明する。
１は台所等の浴室以外の場所に設置されたメインリモコン、２は浴室内に備えられた風呂リモコン、３は前記メインリモコン１及び前記風呂リモコン２と通信回線４を介して接続され、図示しない浴槽内の湯水を沸き上げる風呂装置５内に備えられた本体制御部であり、各リモコンで操作された内容に基づいて本体制御部３が風呂装置５の動作を制御する。
【００１１】
メインリモコン１には、上下左右方向に操作可能なキーにより給湯温度や風呂温度の変更や時刻合わせ等の各種設定を行うメイン十字キー６と、該メイン十字キー６で変更した内容を確定させるメイン決定スイッチ７と、通信回線４を介して風呂リモコン２との通話を開始するメイン通話スイッチ８と、メインリモコン１周囲の音を集音するメインマイク９と、所定の音声を出力するメインスピーカ１０と、給湯温度や現在時刻等を表示する表示部としてのメイン液晶パネル１１と、メインリモコン１に音楽プレーヤー等の音響機器１９が接続可能なジャックである接続口１２とが備えられている。
【００１２】
また、風呂リモコン２には、上下左右方向に操作可能なキーにより風呂温度の変更等の各種設定を行う風呂十字キー１３と、該風呂十字キー１３で変更した内容を確定させる風呂決定スイッチ１４と、通信回線４を介してメインリモコン１との通話を開始する風呂通話スイッチ１５と、風呂リモコン２周囲の音を集音する風呂マイク１６と、メインリモコン１で入力された音を出力する風呂スピーカ１７と、風呂温度や現在時刻等を表示する風呂液晶パネル１８とが備えられており、図示しない浴槽内の浴槽水温度の変更や追い焚き動作を開始させることができる。
【００１３】
なお、メインリモコン１及び風呂リモコン２の各スピーカから出力される音量は１から１０までの１０段階で変更可能であり、最小音量が１で最大音量が１０である。
【００１４】
１９は本体内部に複数の楽曲のデータが保存可能な音響機器であり、該音響機器１９の外部にあるスピーカへアナログ送信線２０を介してアナログの音声信号を出力するアナログ出力口２１と、メニュー画面上の選択項目や再生音量等を変更する変更キー２２とを備えており、前記アナログ出力口２１に前記アナログ送信線２０の一方のアナログ出力端子を接続し、他方のアナログ出力端子をスピーカ等のアナログ入力口に接続することで、再生音が出力される。
【００１５】
次に、各リモコン内の回路構成について説明する。
メインリモコン１内には、メインマイク９と接続口１２とのいずれか一方から入力された音声信号を切り替える入力セレクター２３と、該入力セレクター２３から送信された音声信号を増幅する第１増幅器２４と、該第１増幅器２４で増幅された音声信号をＦＭ変調させて送信するメインＦＭ変調回路２５と、該メインＦＭ変調回路２５でＦＭ変調された音声信号を増幅する第２増幅器２６と、必要な範囲の周波数の音声信号のみを通過させ他の周波数を減衰させるメインＢＰＦ（バンドパスフィルタ）２７と、ＦＭ変調された音声信号を復調するメインＦＭ復調回路２８と、該メインＦＭ復調回路２８で復調された音声信号を増幅する第３増幅器２９と、送信された音声信号を増幅してメインスピーカ１０から出力するメインスピーカアンプ３０と、回路を閉止することで前記第１増幅器２４から送信された音声信号を前記メインスピーカアンプ３０に直接送信可能とする短絡回路３１と、メインリモコン１に備えられた各スイッチ操作に応じて所定の動作を行うマイコンで構成されたメイン制御部３２とが備えられている。
【００１６】
なお、メインリモコン１の接続口１２へ音響機器１９に接続されたアナログ送信線２０のアナログ出力端子が接続されると、メインリモコン１内にある図示しない回路基板上のスイッチが作動し、電圧値がハイレベルからローレベルに切り替わり、ローレベル信号をメイン制御部３２が検知することで、接続口１２に音響機器１９のアナログ出力端子が接続されたことが検知される。
【００１７】
また、風呂リモコン２内には、風呂マイク１６から入力された音声信号を増幅する第４増幅器３３と、該第４増幅器３３で増幅された音声信号をＦＭ変調させて送信する風呂ＦＭ変調回路３４と、該風呂ＦＭ変調回路３４でＦＭ変調された音声信号を増幅する第５増幅器３５と、必要な範囲の周波数の音声信号のみを通過させ他の周波数を減衰させる風呂ＢＰＦ３６と、ＦＭ変調された音声信号を復調する風呂ＦＭ復調回路３７と、該風呂ＦＭ復調回路３７で復調された音声信号を増幅する第６増幅器３８と、送信された音声信号を増幅して風呂スピーカ１７から出力する風呂スピーカアンプ３９と、風呂リモコン２に備えられた各スイッチ操作に応じて所定の動作を行うマイコンで構成された風呂制御部４０とが備えられている。
【００１８】
なお、第１増幅器２４で増幅させた音声信号と第６増幅器３８で増幅させた音声信号について、図３の（Ａ）で示すメインＦＭ変調回路２５に入力される音声信号の電圧値Ｖ１とＦＭ変調された音声信号のキャリア周波数Ｆ１とで形成される変調カーブの傾きａと、図３の（Ｂ）で示す風呂ＦＭ復調回路３７に入力される音声信号のキャリア周波数Ｆ２と風呂ＦＭ復調回路３７で復調された音声信号の電圧値Ｖ２とで形成される復調カーブの傾きｂとが同一となるよう、メインＦＭ変調回路２５と風呂ＦＭ復調回路３７とを予め傾きが同一設計されている回路素子を用いて構成している。
【００１９】
また、メインスピーカアンプ３０と風呂スピーカアンプ３９との増減率について、予め同一設計されている回路素子を用いるようにして、同一の増減率になるようにしている。
【００２０】
次に、各リモコン同士で相互に通話を可能とするインターホン機能について説明する。メインリモコン１に設置されたメイン通話スイッチ８を押し続けた状態でメインマイク９へ向かって話しかけると、メイン制御部３２は、入力セレクター２３の音声信号の入力方向をメインマイク９側に切り替え、メインマイク９で集音され入力セレクター２３から送信された音声信号を第１増幅器２４で所定の振幅の音声信号となるよう増幅させる。
【００２１】
第１増幅器２４で所定の振幅の音声信号に増幅したら、メインＦＭ変調回路２５で音声信号をＦＭ変調し、第２増幅器２６で更に所定の振幅だけ増幅させたら、通信回線４を介してＦＭ変調信号を重畳させて風呂リモコン２に送信する。
【００２２】
そして、送信されたＦＭ変調信号について、風呂リモコン２の風呂ＢＰＦ３６を通過させることで不要な周波数の音声信号を減衰させ、風呂ＦＭ復調回路３７でＦＭ変調された音声信号を元の音声信号に復調し、第６増幅器３８で所定の振幅の音声信号となるよう増幅させ、風呂スピーカアンプ３９で更に増幅させて風呂スピーカ１７から出力することで、メインリモコン１側で話した内容を風呂リモコン２側で聞くことが可能となる。
【００２３】
また、メインリモコン１から風呂リモコン２へ音声信号を送信する方法と同様にして、風呂リモコン２に設置された風呂通話スイッチ１５を押し続けた状態で風呂マイク１６に向かって話しかけると、メインリモコン１のメインスピーカ１０から音声が出力される。
【００２４】
次に、音響機器１９をメインリモコン１の接続口１２に接続した時のメインリモコン１の制御を図４、５の説明図と図６のフローチャートとに基づいて説明する。
まず、メイン制御部３２は、接続口１２に音響機器１９の接続線２０のアナログ出力端子が接続され、回路基板上のスイッチが作動したか判断し（ステップＳ１０１）、接続口１２に音響機器１９のアナログ接続端子が接続されたと判断したら、入力セレクター２６の音声信号の入力方向を接続口１２へ切り替え、メイン液晶パネル１１に「調節する」と「調節しない」とを表示し（図４の（ａ））、音響機器１９の音量調節を行うか選択可能な音量調節選択画面を表示する（ステップＳ１０２）。
【００２５】
ステップＳ１０２でメイン液晶パネル１１に音量調節選択画面を表示したら、メイン制御部３２は、音量調節選択画面で「調節する」と「調節しない」とのどちらが選択されたか判断し（ステップＳ１０３）、「調節する」が選択されたと判断したら（図４の（ａ’））、メイン液晶パネル１１に風呂リモコン２で設定されている再生音の音量を数値で表示し（図４の（ｂ））、メインリモコン１内に設置された短絡回路３１を閉止する（ステップＳ１０４）。
【００２６】
ステップＳ１０４でメインリモコン１内に設置された短絡回路３１が閉止されたら、第１増幅器２４からメインＦＭ変調回路２５間の回路と、第３増幅器２９からメインスピーカアンプ３０間の回路とが接続されることで、第１増幅器２４で増幅された音声信号がメインスピーカアンプ３０に直接入力され、音響機器１９の再生音が風呂リモコン２で設定されている音量でメインスピーカ１０から出力可能な状態になるので、使用者がメインスピーカ１０から出力される音響機器１９の再生音を聞いて、ノイズや音割れの発生しない再生音となるよう音響機器１９の音量を調節可能となる。
【００２７】
これにより、音響機器１９の再生音の音量をメインリモコン１で使用者が調節できることから、音響機器１９の再生音の調節時に使用者が浴室に設置された風呂リモコン２まで行って再生音の音量を確認する必要がないため、メインリモコン１と風呂リモコン２との間を往復することがなく、使い勝手が向上する。
【００２８】
そして、ステップＳ１０４で短絡回路３１を閉止したら、メイン制御部３２は、メイン液晶パネル１１に表示されている「終了」が選択されたか判断し（ステップＳ１０５）、「終了」が選択されたら（図４の（ｂ’））、メイン液晶パネル１１の表示を変更して音響機器１９から入力される音声信号を再生する再生モード画面を表示し（図４の（ｃ））、短絡回路３１を開放して制御を終了する（ステップＳ１０６）。
【００２９】
メインリモコン１での音響機器１９の音量調節作業を終えて短絡回路３１が開放されたら、風呂制御部４０は、風呂リモコン２の風呂液晶パネル１８に音響機器１９の再生音を出力する再生モード画面を表示させ、前記インターホン機能と同様の方法でアナログの音声信号を風呂スピーカ１７に送信すると、メインＦＭ変調回路２５で変調される前の音声信号と風呂ＦＭ復調回路３７で復調された後の音声信号の振幅が同一であり、メインスピーカアンプ３０と風呂スピーカアンプ３９の増幅率が同一であることから、使用者がメインスピーカ１０から出力される音を聞いて調節した音響機器１９の再生音の音声信号と同一の音声信号が風呂リモコン２に送信されて風呂スピーカ１７から出力されるので、メインリモコン１のメインスピーカ１０で調節した音響機器１９の再生音と同一の再生音が風呂スピーカ１７から出力されるため、使用者が違和感のない再生音を聞くことができる。
【００３０】
なお、ステップＳ１０３で「調節しない」が選択されたら（図４の（ａ”））、メイン制御部３２は、音響機器１９の音量調節は行わずに再生モードに入ると判断し、メイン液晶パネル１１に再生モードの画面を表示して制御を終了する。
【００３１】
以上のように、音響機器１９がメインリモコン１の接続口１２に接続されたら、音響機器１９の再生音の音量調節の有無を使用者が選択し、音量を調節するが選択されたら短絡回路３１を閉止して、音響機器１９から入力された再生音をメインスピーカ１０で出力するので、使用者がメインリモコン１と風呂リモコン２との間を往復することがなく、ノイズや音割れの発生しない再生音に音響機器１９の音量を調節できるため、使い勝手が向上する。
【００３２】
なお、本実施形態では音響機器１９をメインリモコン１の接続口１２に接続した場合を説明したが、これに限らず例えば、ラジオやタブレット端末等を接続してもよく、メインリモコン１に接続されたラジオやタブレット端末の音量について、メインスピーカ１０から出力される音量を聞いて調節してから風呂スピーカ１７で出力することで、適切な音量の再生音を風呂スピーカ１７から出力させることができる。
【００３３】
また、本実施形態では音響機器１９の音量調節時のメインリモコン１の音量を風呂リモコン２で設定されている音量にしているが、風呂リモコン２の音量が最小値の音量１の場合、メインスピーカ１０から出力される音響機器１９の再生音が小さくて聞こえにくく、使用者が音響機器１９の再生音を最適に調節するのが難しい。また、風呂リモコン２の音量が最大値の音量１０の場合、メインスピーカ１０から出力される音響機器１９の再生音の音量が大きく、使用者に不快感を与えてしまう。以上のことから、メインリモコン１で音響機器１９の再生音を調節する時、風呂リモコン２で設定されている音量に限られず、メインリモコン１の音量を中間値の５にするようにしてもよく、中間値にすれば、使用者が容易に音響機器１９の再生音を適切な音量に調節できる。
【００３４】
また、本実施形態で説明したメインリモコン１及び風呂リモコン２内に設置された各増幅器やＦＭ変調回路、ＦＭ復調回路等の回路設計について、本発明の趣旨から逸脱しない範囲において回路構成を変更してもよい。
【符号の説明】
【００３５】
１    メインリモコン
２    風呂リモコン
４    通信回線
９    メインマイク
１０    メインスピーカ
１１    メイン液晶パネル
１２    接続口
１６    風呂マイク
１７    風呂スピーカ
１９    音響機器
３１    短絡回路
３２    メイン制御部（制御部）
４０    風呂制御部（制御部）
【図１】
2014122765.tif 000003
【図２】
2014122765.tif 000004
【図３】
2014122765.tif 000005
【図４】
2014122765.tif 000006
【図５】
2014122765.tif 000007
【図６】
2014122765.tif 000008